(57)【要約】【課題】  原稿全面の画像を同一のピント位置で読取ることができ、ピントボケの少ない画像読取を可能にする画像読取装置を提供する。【解決手段】  複数の搬送ローラ３ａと４ａとの間に掛け渡された透明性の搬送ベルト１６と、シェーディングローラ３０との間で原稿１８を挟んで搬送することでセルフォックレンズ２４と原稿１８との間の距離を一定にし、ランプ２２，２３から透明性の高い搬送ベルト１６を介して原稿１８に光を照射し、その反射光をセルフォックレンズ２４からイメージセンサ２５に導き、イメージセンサ２５で原稿の画像を読取るようにしたので、原稿１８の浮き上がりを防止して全面の画像を同一のピント位置で読取ることができ、ピントボケの少ない画像読取を可能にすることができる。【選択図】      図２
2006128910.tif 000002
【特許請求の範囲】
【請求項１】
原稿の画像を読取るための画像読取装置であって、
複数のローラと、
前記複数のローラに掛け渡され、透明性の高い搬送ベルトと、
前記搬送ベルトに対向して設けられ、間に前記原稿を挟んで搬送する搬送手段と、
前記搬送手段の近傍に設けられ、前記透明性の高い搬送ベルトを介して前記原稿に光を照射し、その反射光を検出して前記原稿の画像を読取る読取手段とを備える、画像読取装置。
【請求項２】
前記透明性の高い搬送ベルトは、前記原稿幅以上の幅を有している、請求項１に記載の画像読取装置。
【請求項３】
前記搬送手段はシェーディングローラを含む、請求項１または２に記載の画像読取装置。
【請求項４】
前記シェーディングローラと、前記読取手段は、前記搬送ベルトを介して対向して設けられる、請求項３に記載の画像読取装置。
【請求項５】
前記搬送手段は、前記搬送ベルトに対向して設けられるベルト手段を含む、請求項１または２に記載の画像読取装置。
【発明の詳細な説明】
【技術分野】
【０００１】
この発明は画像読取装置に関し、例えばコピー機やＦＡＸなどのように原稿を搬送して、光電変換素子を用いて画像を読取る画像読取装置に関する。
【背景技術】
【０００２】
例えば、デジタル複写機のような画像形成装置においては、画像読取装置が内蔵されている。画像読取装置は、原稿を搬送ローラによって搬送して原稿表面に光を照射し、原稿表面からの反射光を光電変換素子によって光電変換して原稿上の画像を読取るように構成されている。
【０００３】
ところが、原稿は様々な厚さのものが使用されているため、この厚さの変化により読取画像位置がずれてしまうことがある。特に、光電変換素子として、例えばＣＩＳ（Ｃｏｎｔａｃｔ  Ｉｍａｇｅ  Ｓｅｎｓｏｒ：密着イメージセンサ）を用いた場合には、反射光をイメージセンサに導くためにセルフォックレンズが用いられているが、セルフォックレンズは、被写体深度が浅いため、ピント位置を厳密に調整しなければ入射される像がボケてしまい、解像度が低下してしまう。
【０００４】
このために、特開２００３−３２４４２号公報（特許文献１）には、原稿の厚さを検出し、検出した厚さに対応してレンズによる光電変換素子への画像の結像位置が一定になるように搬送ローラの位置を制御する画像読取装置について記載されている。
【０００５】
特開平９−２３３０４号公報（特許文献２）には、原稿影を軽減するために原稿の読取画像面に接する半透明シート部材からなる原稿キャリアシートを原稿上に載置し、半透明シート部材を介して原稿を読取ることで、原稿の浮きを無くした画像形成装置について記載されている。
【特許文献１】特開２００３−３２４４２号公報（段落番号００２７、図８）
【特許文献２】特開平９−２３３０４号公報（段落番号００１１〜００１３、図１）
【発明の開示】
【発明が解決しようとする課題】
【０００６】
しかし、特許文献１では光電変換素子の筐体にばらつきがあり、原稿が載置されるガラス面にも反りなどがあり、特に、原稿の先端，後端における原稿浮きなどの位置のばらつきがあるので、原稿全面の画像を光電変換素子の最良のピント位置に通すのは極めて困難である。
【０００７】
また、特許文献２のように原稿の読取ごとに、原稿上に半透明シート部材である原稿キャリアシートを載置することはユーザに負担を強いることになり、非効率である。
【０００８】
そこで、この発明は、原稿全面の画像を同一のピント位置で読取ることができ、ピントボケの少ない画像読取を可能にする画像読取装置を提供することである。
【課題を解決するための手段】
【０００９】
この発明は、原稿の画像を読取るための画像読取装置であって、複数のローラと、複数のローラに掛け渡され、透明性の高い搬送ベルトと、搬送ベルトに対向して設けられ、間に原稿を挟んで搬送する搬送手段と、搬送手段の近傍に設けられ、透明性の高い搬送ベルトを介して原稿に光を照射し、その反射光を検出して原稿の画像を読取る読取手段とを備える。
【００１０】
好ましくは、透明性の搬送ベルトは、原稿幅以上の幅を有している。
【００１１】
１つの実施形態における搬送手段はシェーディングローラであり、シェーディングローラと、読取手段は、搬送ベルトを介して対向して設けられる。
【００１２】
他の実施形態における搬送手段は、搬送ベルトに対向して設けられるベルト手段を含む。
【発明の効果】
【００１３】
この発明によれば、複数のローラに掛け渡された透明性の高い搬送ベルトと、搬送手段との間で原稿を挟んで搬送し、搬送手段の近傍で透明性の搬送ベルトを介して原稿に光を照射し、その反射光を検出して原稿の画像を読取るようにしたので、原稿の読取位置が一定となり、原稿の読取面全面の画像を同一のピント位置で読取ることができ、ピントボケの少ない画像読取を可能にすることができる。
【発明を実施するための最良の形態】
【００１４】
図１はこの発明の一実施形態における画像読取装置の原稿搬送経路を示す概略図であり、図２はこの発明の一実施形態における画像読取装置の構成を示す図である。
【００１５】
図１において、原稿トレイ１には原稿が載置され、給紙ローラ２によって原稿が１枚づつ取り込まれる。取り込まれた原稿は、搬送ローラ３ａと３ｂ，４ａと４ｂ，５ａと５ｂ，６ａと６ｂ，７ａと７ｂによって搬送されて排出トレイ８に排出される。搬送ローラ３ａ，３ｂと４ａ，４ｂとの間には、読取部２０と、搬送手段としてのシェーディングローラ３０とが配置されている。読取部２０は原稿１８上の画像を読取るものであり、ＣＩＳが用いられている。シェーディングローラ３０はシェーディング補正するために用いられている。
【００１６】
搬送ローラ３ａと４ａとの間には、透明性の高い搬送ベルト１６が掛け渡されている。搬送ベルト１６はシェーディングローラ３０との間で原稿１８を挟んで搬送するものであり、無端ベルトで構成されており、その幅は原稿１８よりも幅の広いものが用いられている。透明性の高い搬送ベルト１６の材質としては、例えば、ペットフィルムが用いられる。
【００１７】
シェーディングローラ３０は、シェーディング補正するために用いられるとともに、原稿１８を搬送ベルト１６との間で挟むことで読取部２０と原稿１８との間の距離を一定にするための機能を果たしている。なお、シェーディングローラ３０によることなく搬送ローラ３ｂ，４ｂとの間に透明なベルトを掛け渡し、その透明なベルトと搬送ベルト１６との間で原稿１８を挟んで搬送し、読取部２０と原稿１８との距離が一定になるようにしてもよい。
【００１８】
読取部２０は、搬送ベルト１６を介してシェーディングローラ３０に対向するように配置されている。読取部２０には、搬送ベルト１６に対向するようにガラス２１が設けられており、ガラス２１の上方には２つのランプ２２，２３と、これらのランプ２２，２３に挟まれるようにセルフォックレンズ２４が配置されている。セルフォックレンズ２４の光軸上にはイメージセンサ２５が設けられている。
【００１９】
ランプ２２，２３からの光はガラス２１と、透明性の高い搬送ベルト１６を介して原稿１８に照射され、原稿１８からの反射光が搬送ベルト１６からガラス２１およびセルフォックレンズ２４を介してイメージセンサ２５に入射され、原稿１８の画像がイメージセンサ２５によって読取られる。
【００２０】
この実施形態では、原稿１８は透明性の高い搬送ベルト１６と、反対側の搬送ローラ３ｂ，４ｂおよびシェーディングローラ３０とによって常に挟まれているため、原稿１８の先端あるいは後端が浮き上がることもないので、原稿１８とセルフォックレンズ２４との距離を一定にすることができ、原稿１８の全面の画像においてピントボケの少ない読取が可能になる。
【００２１】
なお、図２に示した実施形態では、搬送ベルト１６の下面に原稿１８が当接し、原稿１８にシェーディングローラ３０が当接するように配置したが、搬送ベルト１６の上面に原稿１８が当接し、原稿１８の上にシェーディングローラ３０が当接するように配置してもよい。
【００２２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２３】
【図１】この発明の一実施形態における画像読取装置の原稿搬送経路を示す概略図である。
【図２】この発明の一実施形態における画像読取装置の構成を示す図である。
【符号の説明】
【００２４】
１  原稿トレイ、２  給紙ローラ、３ａ，３ｂ，４ａ，４ｂ，５ａ，５ｂ，６ａ，６ｂ，７ａ，７ｂ  搬送ローラ、８  排出トレイ、１６  搬送ベルト、１８  原稿、２０  読取部、２１  ガラス、２２，２３  ランプ、２４  セルフォックレンズ、２５  イメージセンサ、３０  シェーディングローラ。
【図１】
2006128910.tif 000003
【図２】
2006128910.tif 000004